(57)【要約】      （修正有）【課題】タテ型食品容器内を少なくとも上下２室に分割する隔壁部材を付加することで、同容器内の形状の異なる食材が混ざり合い、風味や食感を損なわないように分割収納する食品容器を提供する。【解決手段】隔壁部１を設けた食品容器２内に半固形食材４と液状食材５を収納する。蓋３上面部に設けられた隔壁部材引き上げ開口部３ａの切れ目間に沿って、容器外引き出し部１ａと一体となった隔壁部引き出し誘導部１ｂを上方に引き上げることで、隔壁部１は蓋３で押さえ固定された半固形食材４の重量による圧力によって、隔壁部１は隔壁部材折部を起点に、曲げ押し下げられてハ文字状に変型する。さらに隔壁部材引き上げ開口部３ａの切れ目間によって密着することで、ハ文字状から１枚状の平面に合わせ至り、上部室の半固形食材４はすべて下部室に落下し、液状食材５と混ざり合う。【選択図】図４
0003179236.tif 000002
【実用新案登録請求の範囲】
【請求項１】
食品容器内を少なくとも上下２室に分割する隔壁を有した隔壁部材を、上方に引き上げる引き出しアームと一体となった構造を特徴とする。
【考案の詳細な説明】
【技術分野】
【０００１】  本考案は、１つのタテ型食品容器内を少なくとも上下２室に分割する隔壁部材を付加することで、同容器内の形状の異なる食材が混ざり合い、風味や食感を損なわないように分割収納する食品容器に関するものである。
【背景技術】
【０００２】  従来の保温性を持つ食品容器は、発泡スチロールや紙と樹脂からなる複数の部材を多層に組み合わせることによって断熱性を高め、例えば、即席麺やスープ等の乾燥状態の半調理食品を、調理食品に戻す際に必要な熱湯の温度を保ち続ける構成となっている。すなわち熱湯で半調理状態の食品を調理食品に戻したり、また、液状のあんかけ飯等の中華料理や、ラーメン等の汁を加える調理麺を提供する際に、これらの食品を保温するための食品容器として構成されている。【０００３】  しかしながら、これら従来の食品容器は、単品収納では問題なくても半固形食材４と液状食材５の異なる食材を同時収納した場合、時間経過と共に半固形食材４は液状食材５によりふやけて膨張し、食材本来の風味や食感を損なう欠点があり、ただちに食べるのが基本であった。
【先行技術文献】
【特許文献】
【０００４】
【特許文献１】特開２０１１−１１６３９９号広報
【考案の概要】
【考案が解決しようとする課題】
【０００５】  本考案は、以上のような従来の欠点に鑑み、食品容器内の液状食材５によって半固形食材４が時間経過後ふやけて膨張することなく、風味や食感を損なわずに食べる直前、混ぜ合わせ使用できる食品容器の提供を目的とする。
【課題を解決するための手段】
【０００６】  上記の目的・課題を解決するために、本考案は食品容器内を任意の上下２室に分割する隔壁部材の隔壁部１を介して、半固形状食材４と液状食材５の形状の異る食材を分割収納することによって、それぞれの食材内容物が容易に混ざり合わないことを特徴とし、食材本来の風味や食感を損なわせない食品容器を構成している。
【考案の効果】
【０００７】  以上の説明から明らかなように、本考案にあっては次に列挙する効果が得られる。
（１）従来の食品容器内を任意の上下２室に分割する隔壁部１を有することで、上部室の半固形状食材４と下部室の液状食材５は隔離され、互いに混ざり合うことなく安定を保ち、液状食材５が半固形状食材４への浸透を防ぐ効果がある。【０００８】  （２）隔壁部１を有する構造上、容器自体を角度４５度程度に傾斜させても、下部室の液状食材５は半固形状食材４の上部室への急激な侵入を防ぎ、食品提供後の不安定な食品容器の移動において、食品容器外に液状食材５が流出しにくくなることで、やけどを防ぎ安全性を高める効果がある。【０００９】  （３）前記（１）の構成によって、これまで半固形状食材４と液状食材５からなるカレーライスやつけ麺等、食べる直前に混ぜ合わせる食材において、食品提供後も混ざり合うことがなく、時間経過と共に半固形状食材４がふやけて膨張したりせず、食材本来の風味や食感を損なわせない効果がある。【００１０】  （４）上下２室に分割して食材を収納することで、例えば一枚の皿形状の平面を分割した食品容器に、半固形状食材４と液状食材５を並列収納するより、明らかに表面積が減少する。さらに本考案の上部室に収納した、ごはん等の半固形状食材４の気密性による保温効果によって、下部室に収納した液状食材５は外気に直接触れることなく、時間経過による温度低下を減少する効果がある。【００１１】  （５）前記（１）の構成によって、不安定な皿形状の食品容器に比べ購入後の移動の際、片手で容易に持ち歩くことができ、容器自体を安定に保ち液状食材５が容器外にこぼれなくする効果が得られる。【００１２】  （６）従来の食品容器に本考案の隔壁部材を付加することで容易に上記（１）〜（５）の効果が得られる。
【図面の簡単な説明】
【００１３】
【図１】本考案を実施するための隔壁部材を有する食品容器の斜視図である。
【図２】本考案を実施するための隔壁部材を有する食品容器の上面図である。
【図３】本考案を実施するための隔壁部材を有する食品容器の断面図である。
【図４】本考案を実施するための隔壁部材を用いて、半固形状食材４と液状食材５を収納した食品容器の断面図である。
【図５】本考案を実施するための食品容器内に付加する隔壁部材の展開図である。
【考案を実施するための形態】
【００１４】  以下、本考案の実施例を図面に基づいて説明する。
【実施例】
【００１５】  第１図〜第４図は本考案の好ましい実施例を示し、第１図の隔壁部１は食品容器内を上下２分割するアーム隔壁部引き出し誘導部１ｂと一体となる隔壁部材である。この隔壁部引き出し誘導部１ｂは、蓋３上面部に設けられた隔壁部材引き上げ開口部３ａに沿って容器外引き出し部１ａを上方に引き上げることにより、隔壁部材を半固形食材４から取り外すように構成されている。【００１６】  第２図上面図は食品容器２と容器内の隔壁部１の位置と、蓋３上部に設けられた隔壁部材引き上げ開口部３ａを示したものである。【００１７】  第３図断面図は、隔壁部１によって食品容器２内が上下２分割された状態と、隔壁部１と一体となる隔壁引き出し誘導部１ｂ及び、容器外引き出し部１ａを示したもので、隔壁部１が任意の位置で食品容器２内に固定された状態を示したものである。【００１８】  第４図断面図は、隔壁部１を設けた食品容器２内に半固形食材４と液状食材５を収納した状態を示す。蓋３上面部に設けられた隔壁部材引き上げ開口部３ａの切れ目間に沿って、容器外引き出し部１ａと一体となった隔壁部引き出し誘導部１ｂを上方に引き上げることで、隔壁部１は蓋３で押さえ固定された半固形食材４の重量による圧力によって、隔壁部１は隔壁部材折部１ｃを起点に、曲げ押し下げられてハ文字状に変型し、さらに隔壁部材引き上げ開口部３ａの切れ目間によって密着することで、ハ文字状から１枚状の平面に合わせ至り、上部室の半固形食材４はすべて下部室に落下し、液状食材５と混ざり合う。上方に引き出された１枚状の平面になった隔壁引き出し誘導部１ｂと一体となる隔壁部１は、第５図展開図の隔壁部材折部１ｃを超えた隔壁部１を任意の位置で止めることにより、蓋３と共に隔壁部材を食品容器２外に取り外す。【００１９】  第５図展開図は、隔壁部１と隔壁引き出し誘導部１ｂと外部引き出し部１ａを一枚の平面部材にしたもので、隔壁部材折部１ｃを外側に直角に折り、アーム隔壁部材折部１ｄを内側に折り合わせることで逆Ｔ文字型に成形され、第４図断面図内が示すように隔壁部材を食品容器２内に組み入れる。
【産業上の利用可能性】
【００２０】  本考案は、食品容器に関する。
【符号の説明】
【００２１】１    隔壁部
１ａ  容器外引き出し部
１ｂ  隔壁部引き出し誘導部
１ｃ  隔壁部材折部
１ｄ  隔壁部材折部
２    食品容器
３    蓋
３ａ  隔壁部材引き上げ開口部
４    半固形食材
５    液状食材
【図１】
0003179236.tif 000003
【図２】
0003179236.tif 000004
【図３】
0003179236.tif 000005
【図４】
0003179236.tif 000006
【図５】
0003179236.tif 000007
【手続補正書】
【提出日】平成24年7月25日(2012.7.25)
【手続補正１】
【補正対象書類名】実用新案登録請求の範囲
【補正対象項目名】全文
【補正方法】変更
【補正の内容】
【実用新案登録請求の範囲】
【請求項１】
食品容器内を少なくとも上下２室に分割する隔壁と、前記隔壁の中央部から立ち上がる引き出しアームとが一体となった隔壁部材が前記食品容器内に取り付けられたことを特徴とする食品容器。